(57)【要約】【課題】特に豆類をキズ付けたり変質させたりすることなく、迅速且つ効率良く洗浄する穀物洗浄機およびそれに接続される乾燥機の提供。【解決手段】筒状の固定金網１ｂ内に回転体４を配置し、回転体４の外周に複数のゴム板５ａを螺旋状に配置する。そして回転体４の回転によってゴム板５ａに遠心力を与え、そのゴム板５ａと金網１ｂとの間に穀物を保持して回転させると共に、そこに水を噴霧供給する。【選択図】        図１
2004216295.tif 000002
【特許請求の範囲】
【請求項１】
穀物供給口（６）  および穀物排出口（７）  を有する円筒形の洗浄機本体（１）  と、
その洗浄機本体（１）  内に洗浄液（２）  を供給する洗浄液供給手段（３）  と、
その洗浄機本体（１）  内で、その軸線上に配置された回転駆動される回転体（４）  と、
その回転体（４）  の外周に固定され、回転体（４）  の回転に伴う遠心力により、少なくとも端縁部が洗浄機本体（１）  の内面に近接または摺接する柔軟性を有する穀物押しつけ板（５）  と、
を具備し、回転体（４）  の回転により洗浄機本体（１）  と前記回転体（４）  との間に相対回転を起こさせるように構成した穀物洗浄機。
【請求項２】
請求項１において、
洗浄機本体（１）  が、筒状の固定金網（１ｂ）と、その両端に設けられた一対の短胴部（１ａ）とを有し、
穀物押しつけ板（５）  が、回転体（４）  の外周に互いに離間して取付けられる複数の柔軟なゴム板（５ａ）からなり、
夫々のゴム板（５ａ）の少なくとも他端縁が回転体（４）  の軸線に対して螺旋状に配置され、
洗浄機本体（１）  の軸線方向一端部に穀物供給口（６）  が設けられ、他端部に穀物排出口（７）  が設けられた穀物洗浄機。
【請求項３】
請求項２において、
洗浄液供給手段（３）  は、固定金網（１ｂ）の上部から内部に洗浄液（２）  を供給するように構成され、
固定金網（１ｂ）の下面外周に洗浄液（２）  を受ける受け皿（８）  を配置し、
その受け皿（８）  に排水ホース（９）  または排水管を連結し、
その排水ホース（９）  または排水管に、排水側へ空気流を流通させる吸引手段（２３）が連結された穀物洗浄機。
【請求項４】
請求項１〜請求項３のいずれかの穀物洗浄機の下流に、穀物乾燥機（１０）を有する穀物洗浄機。
【請求項５】
請求項４の穀物洗浄機の有する穀物乾燥機（１０）において、
僅かに傾斜した金網を有するデッキ（１１）上に複数の供給ライン（１２）（１３）が仕切壁（２０）を介して一体に設けられると共に、デッキ（１１）の下面から上方に乾燥用空気を供給する空気供給装置（１４）が設けられ且つ、デッキ（１１）を振動させる振動手段（１５）が設けられ、
洗浄機で洗浄された穀物（１６）を、第１の供給ライン（１２）の上流端部に供給し、
第１の供給ライン（１２）の下流端部から、第２の供給ライン（１３）の上流端に穀物を戻す搬送手段（１７）が設けられた穀物乾燥機。
【請求項６】
請求項５において、
各供給ライン（１２）（１３）上に、穀物（１６）を下流側に蛇行移動させる案内部材（１８）を複数配置した穀物乾燥機。
【請求項７】
請求項６において、
前記案内部材（１８）は、デッキ（１１）上に枢着され、その取付け角度を任意に変更できるように構成された穀物乾燥機。
【発明の詳細な説明】
【０００１】
【発明の属する技術分野】
本発明は、特に豆類の洗浄に適した穀物洗浄機およびそれに接続される乾燥機に関する。
【０００２】
【従来の技術】
最近の大豆等の収穫方法は、コンバインにより収穫しつつ脱穀する方法がとられている。このような収穫方法は、極めて効率がよい反面、脱穀された穀物中に土がしばしば混入する。砂、小石等の分離し易いものは、フルイにかけることにより取り除くことができるが、穀物表面に付着した土を取り除くのは、極めて困難である。
【０００３】
そこで従来、穀物洗浄装置として、筒状の網体の内部に回転ブラシを設け、穀物をそのブラシと網体との間に供給しつつ、洗浄水により洗浄する発明が提案されていた（例えば、特許文献１参照。）。
また、加水手段を備えた多孔壁洗浄筒体を回転可能に横架し、この多孔壁洗浄筒体の一側端部から豆類を供給し、筒体の回転と水とによって洗浄を行い、次いでそれを振動乾燥室に導いて熱風によってそれを乾燥する提案がなされている（例えば、特許文献２参照。）。
【０００４】
【特許文献１】
特開平４−１６６０７４号公報
【特許文献２】
特公平７−９８１５２号公報
【０００５】
【発明が解決しようとする課題】
前者の洗浄装置は、回転ブラシと筒状網体との間に穀物を供給し、両者間で穀物を摩擦させながら洗浄するものである。このような洗浄装置は本発明者の実験によれば、その洗浄によって豆が割れたり、その表面の薄皮が剥げ、穀物表面にキズが付いたりすることがある。さらには大豆表面に皺が生じ、商品価値を失ってしまう。
【０００６】
また、後者の回転する多孔壁洗浄筒体に豆類を入れて水を供給しつつ回転させる場合には、豆類が下方に溜まるため充分に洗浄しきれないおそれがあった。また豆類に多量の水が含まれ、豆類表面に皺等ができるおそれがあった。さらに熱風によって豆類を乾燥させると、その表面に熱風による皺ができ、商品価値をなくすことが実験により明らかになった。
【０００７】
本発明者は、各種実験研究の結果、特に豆類の洗浄は短時間に行なわなければ、豆の表面に皺ができることが分かった。そして、可能なかぎり洗浄水を速く取り除き且つ、温風ではなく常温の空気により迅速に完全乾燥させる必要があることを突き止めた。
本発明はかかる知見により、上記の問題点を解決し、完全に穀物表面の泥等の汚れを取り除くことができると共に、洗浄液に長く浸すことによって生じる品質の変化や乾燥時の品質の変化をなくすことができる穀物洗浄機およびそれに接続される乾燥機を提供することを課題とする。
【０００８】
【課題を解決するための手段】
請求項１に記載の本発明は、穀物供給口（６）  および穀物排出口（７）  を有する円筒形の洗浄機本体（１）  と、
その洗浄機本体（１）  内に洗浄液（２）  を供給する洗浄液供給手段（３）  と、
その洗浄機本体（１）  内で、その軸線上に配置された回転駆動される回転体（４）  と、
その回転体（４）  の外周に固定され、回転体（４）  の回転に伴う遠心力により、少なくとも端縁部が洗浄機本体（１）  の内面に近接または摺接する柔軟性を有する穀物押しつけ板（５）  と、
を具備し、回転体（４）  の回転により洗浄機本体（１）  と前記回転体（４）  との間に相対回転を起こさせるように構成した穀物洗浄機である。
【０００９】
請求項２に記載の本発明は、請求項１において、
洗浄機本体（１）  が、筒状の固定金網（１ｂ）と、その両端に設けられた一対の短胴部（１ａ）とを有し、
穀物押しつけ板（５）  が、回転体（４）  の外周に互いに離間して取付けられる複数の柔軟なゴム板（５ａ）からなり、
夫々のゴム板（５ａ）の少なくとも他端縁が回転体（４）  の軸線に対して螺旋状に配置され、
洗浄機本体（１）  の軸線方向一端部に穀物供給口（６）  が設けられ、他端部に穀物排出口（７）  が設けられた穀物洗浄機である。
【００１０】
請求項３に記載の本発明は、請求項２において、
洗浄液供給手段（３）  は、固定金網（１ｂ）の上部から内部に洗浄液（２）  を供給するように構成され、
固定金網（１ｂ）の下面外周に洗浄液（２）  を受ける受け皿（８）  を配置し、
その受け皿（８）  に排水ホース（９）  または排水管を連結し、
その排水ホース（９）  または排水管に、排水側へ空気流を流通させる吸引手段（２３）が連結された穀物洗浄機である。
【００１１】
請求項４に記載の本発明は、請求項１〜請求項３のいずれかの穀物洗浄機の下流に、穀物乾燥機（１０）を有する穀物洗浄機である。
【００１２】
請求項５に記載の本発明は、請求項４の穀物洗浄機の有する穀物乾燥機（１０）において、
僅かに傾斜した金網を有するデッキ（１１）上に複数の供給ライン（１２）（１３）が仕切壁（２０）を介して一体に設けられると共に、デッキ（１１）の下面から上方に乾燥用空気を供給する空気供給装置（１４）が設けられ且つ、デッキ（１１）を振動させる振動手段（１５）が設けられ、
洗浄機で洗浄された穀物（１６）を、第１の供給ライン（１２）の上流端部に供給し、
第１の供給ライン（１２）の下流端部から、第２の供給ライン（１３）の上流端に穀物を戻す搬送手段（１７）が設けられた穀物乾燥機である。
【００１３】
請求項６に記載の本発明は、請求項５において、
各供給ライン（１２）（１３）上に、穀物（１６）を下流側に蛇行移動させる案内部材（１８）を複数配置した穀物乾燥機である。
【００１４】
請求項７に記載の本発明は、請求項６において、
前記案内部材（１８）は、デッキ（１１）上に枢着され、その取付け角度を任意に変更できるように構成された穀物乾燥機である。
【００１５】
【発明の実施の形態】
次に、図面に基づいて本発明の実施の形態につき説明する。
図１は本発明の穀物洗浄機の正面略図であり、図２はその横断面略図、図３は同洗浄機の洗浄機本体１内に収納される回転体４および穀物押しつけ板５の斜視略図である。
この穀物洗浄機は、筒状の固定金網１ｂと、その内部に設けられた回転体４と、回転体４の外周に螺旋状に固定された複数のゴム板５ａからなる穀物押しつけ板５とを有する。さらに洗浄機本体１の上面に近接して洗浄液供給手段３が配置され、下面に受け皿８およびお吸引手段２３が設けられている。
【００１６】
筒状の固定金網１ｂの両端には、短い筒状の有底の短胴部１ａが固定され、両短胴部１ａ間が一対のアングル（１８０°離間した位置）からなるフランジ部材で連結され、両アングル間を半円状に補強バンド１ｃが連結され、それが固定金網１ｂの外周を被嵌する。固定金網１ｂは上下に二分割され、少なくともその上部側の金網を着脱自在に開閉できる。
次に、洗浄機本体１内には比較的大径の回転体４が内装され、その中心に駆動軸４ａが固定され、その駆動軸４ａが短胴部１ａの側面を貫通する。そして図示しない軸受けに軸支され、僅かに左下がりに傾斜して図示しないフレームに保持されている。駆動軸４ａにはプーリ１９が設けられ、そのプーリ１９にＶベルト２１を介して減速機付きモータに接続されている。
【００１７】
回転体４は、図２および図３に示す如く、その外周に等間隔に離間し、柔軟なゴム板５ａが螺旋状に止め具２７を介して取付けられている。即ち、帯状のゴム板５ａの一方の縁部が止め具２７を介し、回転体４の軸線に対して僅かのテーパの斜め（螺旋状）に取付けられている。その結果、ゴム板５ａの自由端である縁部は、それを回転体４に巻付けたとき、回転体４の外周に緩い螺旋状に配置されている。このゴム板５ａは柔軟に形成されているため、同図の如く通常、自重により垂れ下がっている。
なお、駆動軸４ａが回転駆動されたときには、それが遠心力を得て半径方向外方に伸ばされる。半径方向外方には、洗浄機本体１の固定金網１ｂおよび短胴部１ａが存在するため、その内面に接触しつつ回転して、図２の如く湾曲する。
【００１８】
次に、固定金網１ｂの上面外周には洗浄液供給手段３が設けられ、その給水管２５が駆動軸４ａに平行に配置され、給水管２５に複数の噴霧用のノズル２４が下方に突設され、その先端が固定金網１ｂの表面に極めて近接する。そして水道水を用いた洗浄水が固定金網１ｂ内に噴霧されるものである。
図１において、右側の短胴部１ａの上端には穀物供給口６が設けられ、その穀物供給口６にホッパ２２が連結されている。また、左側の短胴部１ａの下端には穀物排出口７が設けられている。そしてこの穀物排出口７と後述する穀物乾燥機１０とがスクリューフィダー等の搬送手段を介して連結されている。
【００１９】
固定金網１ｂの下面外周には、細長い受け皿８の開口が対向する。受け皿８の底部には排水ホース９の一端が連結され、他端が吸引手段２３に連結されている。この吸引手段２３は一例としてファンからなり、それを駆動することにより排水側へ空気流を吸引流通させる。
【００２０】
【穀物洗浄機の使用方法】
駆動軸４ａを図示しない駆動モータにより回転し、回転体４を図２の如く一例として右回転させる。すると、夫々の穀物押しつけ板５は遠心力により半径方向外方に移動し、その固定金網１ｂおよび短胴部１ａに内接して摺接する。ホッパ２２からは一例として大豆等の穀物が供給され、それが回転体４と短胴部１ａとの間に導かれ、それがゴム板５ａと短胴部１ａおよび固定金網１ｂとの間に挟持されて、固定金網に擦られつつ、軸方向の左方へ移動する。その間に給水管２５，ノズル２４を介し固定金網１ｂ内に洗浄液として水が噴霧供給され、それが固定金網内面と穀物とに供給される。その水によって、穀物を洗浄する。次いでその洗浄水は受け皿８により排水ホース９を介して排出される。それと共に、吸引手段２３によって固定金網の下部に溜まる水および、穀物の表面に付着した水が吸引され外部に排出される。
【００２１】
このとき、穀物押しつけ板５は遠心力のみによって半径方向外方に移動するものであるから、ゴム板５ａと固定金網１ｂとの間に存在する穀物１６に過度な外力を加えることがない。そのため穀物を割ることも傷つけることもなく、穀物１６の表面の薄皮を剥がすことなく、穀物１６を完全に洗浄することができる。また、ゴム板５ａは汚れても、水で簡単に洗浄ができ、洗浄機のメンテナンスが容易である。
【００２２】
次に、固定金網１ｂ内を右から左に移動する間に完全に洗浄された穀物は、左端の短胴部１ａ，穀物排出口７を介し外部に取り出され、図４の穀物乾燥機１０に供給される。豆類の洗浄時間は極めて短くすることができる。一例として１０秒以内である。この時間は、水により豆に皺等を起こすダメージを与えない時間として決定される。また、ゴム板５ａと固定金網１ｂとの間に挟持される豆は１列〜数列であることが好ましい。そのようにすることで、豆の全表面を完全に且つ迅速に洗浄できる。そのために、回転体４外周と固定金網１ｂ外周とを比較的近接することが好ましい。この例ではその間隔を、一例として４０ｍｍ程度とした。またこのときの回転体４の回転数は１６ｒｐｍ  程度とした。勿論、本発明はこれらの数値に限定されるものではない。
【００２３】
次に、図４は穀物乾燥機１０の平面略図であり、図５はその横断面略図である。この穀物乾燥機１０は、図５に示す如く、乾燥機本体２９の上端に金網を有するデッキ１１が振動自在に支持されている。一例として、乾燥機本体２９とデッキ１１との間にスプリング等を配置し、水平移動自在に保持することができる。デッキ１１は図４の如く平面が細長く形成され、その幅方向両側に側板３０が立設されると共に、それらの間に等間隔に一対の仕切壁２０が配置されている。そしてそれらにより、デッキ１１上に一例として三つの供給ライン１２，１３，２６を一体に形成する。
【００２４】
そして夫々の供給ラインに図４に示す如く、案内部材１８が千鳥状に配置されている。案内部材１８は一例として細長い板状のものからなり、それを金網からなるデッキ１１の上面に軸支して立設し、そのデッキの中心線に対する取付け角度（交差角度）を任意に保持できるようにしている。
また、デッキ１１には振動手段１５が連結され、それによってデッキ１１を水平方向および上下方向に微振動させる。
【００２５】
なお、金網からなるデッキ１１の上面は、図４において、右から左へ僅かに下がり傾斜されている。そして各供給ラインの右端に穀物１６の供給端が設けられ、左端に穀物捕集用のホッパ３１が夫々設けられている。ホッパ３１に収納された穀物は、搬送手段１７を介して隣の供給ラインの右端に供給される。
デッキ１１の下面側には、空気供給装置１４が設けられている。この空気供給装置１４はファンからなり、温度２０℃〜２５℃程度のエアー２８を下方からデッキ１１の金網の目を通して上方に流通させる。
【００２６】
【穀物乾燥機の使用方法】
図１の穀物洗浄機の穀物排出口７から外部に取り出された穀物は、図示しない立ち上げられたスクリューコンベアおよびその上端と供給ライン１２の右端とを連結するパイプにより、図４の供給ライン１２の右端に供給される。供給ライン１２は振動手段１５によって水平方向および上下方向に微細に振動すると共に、供給ライン１２が水平面に対して傾斜して配置されているため、右端の穀物１６は次第に左方に移動する。このとき、多数の案内部材１８によって案内され、穀物は蛇行状に移動する。そのため穀物１６の移動距離は、直線的に移動する場合に比べて長くなる。そして供給ライン１２の左端のホッパ３１に収納された穀物は、前記同様のスクリュコンベアおよびパイプからなる搬送手段１７によって供給ライン１３の右端に供給される。
【００２７】
即ち、この搬送手段１７は一例としてホッパ３１から上方に伸びるスクリューコンベアを用い、その上端と供給ライン１３の右端とをパイプによって連結することにより実現できる。供給ライン１３の右端に供給された穀物１６は、前記同様に右端から左端に順次移動し、次いで供給ライン２６の右端に供給されその左端のホッパ３１から外部に排出される。このとき、金網である供給ライン１２，１３，２６は、いずれもその下面側から上方に２０℃〜２５℃の空気流が流通し、それによって穀物は乾燥される。穀物が豆の場合には、特に空気流が常温程度であると、それによって変質することがない。逆に温風を送ると、豆の表面に皺が生じることが実験により確かめられた。このようにして完全に乾燥された穀物は、外部に排出される。また、前記の洗浄機から乾燥機への搬送は、連続的に且つ迅速に行なうことが好ましい。洗浄後１分以上放置してから、乾燥させると豆類は変質することが確かめられたからである。
【００２８】
【発明の作用・効果】
本発明の穀物洗浄機は、回転体４に固定された柔軟性を有する穀物押しつけ板５を有し、その穀物押しつけ板５が回転体４の回転に伴う遠心力により洗浄機本体１の内面に近接または摺接するように構成したものである。従って、穀物を柔軟性を有する穀物押しつけ板５と洗浄機本体１の内面との間に押しつけつつそれが回転するため、洗浄液によって効率良く穀物が洗浄される。
しかも本穀物洗浄機は、柔軟性を有する穀物押しつけ板５を用いるため、穀物表面に洗浄に伴う割れ、キズ、皺を付けることがない。即ち、穀物に不必要な押圧力を加えることなく、それを洗浄することができる。
【００２９】
上記構成において、洗浄機本体１が短胴部１ａとそれに取付けられた固定金網１ｂとを有し、穀物押しつけ板５として柔軟なゴム板５ａの端縁が回転体４の軸線に対して螺旋状に配置されているものでは、回転体４の回転に伴って、穀物を洗浄しつつ軸線方向に移動させることができる。それによりその軸線方向一端部に設けた穀物供給口６から供給された穀物が、他端部に設けられた穀物排出口７より効率良く排出することが可能となる。
【００３０】
上記構成において、固定金網１ｂの上部から内部に洗浄液２を供給し、固定金網１ｂの下面外周に洗浄液２を受ける受け皿８を配置すると共に、受け皿８に排水ホース９等を連結し、その排水ホース９等に吸引手段２３を設けることができる。
この場合には、洗浄液で穀物を洗浄しつつ、余分な水分を迅速に取り除き洗浄液で穀物が変質するのを防止できる。
上記のいずれかの構成において、穀物洗浄機の下流側に穀物乾燥機１０を設けることができる。それによって、洗浄中に付着した水分を直に取り除くことができる。
【００３１】
上記穀物乾燥機１０において、そのデッキ１１に振動手段１５を設け、デッキ１１上に複数の供給ライン１２，１３を仕切壁２０を介して一体に設け、デッキ１１に乾燥用空気を供給する空気供給装置１４を設けることができる。そして穀物を供給ライン１２の上流部から下流部に流通させ、その下流部から供給ライン１３の上流端に穀物を戻す搬送手段１７を設けることができる。それによって、比較的短い長さの小スペースな穀物乾燥機を提供することができる。
【００３２】
上記構成において、供給ライン１２，１３上に穀物１６を下流側に蛇行移動させる案内部材１８を複数配置することができる。それにより、穀物をデッキ１１上で長距離移動させることができ、効果的に乾燥することができる。
上記構成において、案内部材１８の一部をデッキ１１上に枢着し、そのデッキの中心線に対する取付け角度を任意に変更することができる。それによって、各種条件のもと、最も効率の良い穀物の乾燥を実現できる。
【図面の簡単な説明】
【図１】本発明の穀物洗浄機の正面略図。
【図２】同洗浄機の横断面略図。
【図３】同洗浄機の洗浄機本体１内に収納される回転体４および穀物押しつけ板５の斜視略図。
【図４】本発明の穀物乾燥機の平面説明図。
【図５】同乾燥機の横断面説明図。
【符号の説明】
１  洗浄機本体
１ａ  短胴部
１ｂ  固定金網
１ｃ  補強バンド
２  洗浄液
３  洗浄液供給手段
４  回転体
４ａ  駆動軸
５  穀物押しつけ板
５ａ  ゴム板
６  穀物供給口
７  穀物排出口
８  受け皿
９  排水ホース
１０  穀物乾燥機
１１    デッキ
１２，１３    供給ライン
１４    空気供給装置
１５    振動手段
１６    穀物
１７    搬送手段
１８    案内部材
１９    プーリ
２０    仕切壁
２１  Ｖベルト
２２    ホッパ
２３    吸引手段
２４    ノズル
２５    給水管
２６    供給ライン
２７    止め具
２８    エアー
２９    乾燥機本体
３０    側板
３１    ホッパ
【図１】
2004216295.tif 000003
【図２】
2004216295.tif 000004
【図３】
2004216295.tif 000005
【図４】
2004216295.tif 000006
【図５】
2004216295.tif 000007